(57)【要約】【課題】安定して受信できる可能性の低い周波数帯のチャンネル検索を省略することで、チャンネル検索に要する時間を効果的に短縮することができるようにする。【解決手段】放送受信装置１は、複数の周波数帯のデジタル放送を受信するもので、これら複数の周波数帯のデジタル放送の受信周波数帯に応じて複数のアンテナ１１〜１３が使用可能となっている。そして放送受信装置には、複数のアンテナの状態を検出するアンテナ検出部１４，１５を有し、放送受信制御部２１は、アンテナ検出部１４，１５による検出結果に応じて受信可能な周波数帯を判別し、選局対象とするチャンネルを受信可能な周波数帯のチャンネルに制限する。【選択図】図１
2011176652.tif 000002
【特許請求の範囲】
【請求項１】
複数の周波数帯のデジタル放送を受信する受信手段を備え、該複数の周波数帯のデジタル放送の受信周波数帯に応じて複数のアンテナを使用可能とした放送受信装置において、
前記複数のアンテナの状態を検出するアンテナ検出手段と、
該アンテナ検出手段による検出結果に応じて受信可能な周波数帯を判別し、選局対象とするチャンネルを前記受信可能な周波数帯のチャンネルに制限する制御手段とを有することを特徴とする放送受信装置。
【請求項２】
請求項１に記載の放送受信装置において、
ユーザの操作入力を受け付ける操作入力手段を有し、
前記制御手段は、前記操作入力手段に対する所定の操作に応じてチャンネル検索を行う際に、該アンテナ検出手段による検出結果に応じて受信可能な周波数帯を判別し、チャンネル検索の対象とする周波数帯を前記受信可能な周波数帯に制限することを特徴とする放送受信装置。
【請求項３】
請求項１に記載の放送受信装置において、
ユーザの操作入力を受け付ける操作入力手段と、
チャンネルのＵＰまたはＤＯＷＮ選局を行うときの切替順序を予め規定したサービスリストを記憶する記憶手段とを有し、
前記制御手段は、前記操作入力手段に対する所定の操作に応じてチャンネルのＵＰまたはＤＯＷＮ選局を行う際、前記サービスリストに規定された選局順序のチャンネルの中から、前記アンテナ検出手段による検出結果に応じて、受信不可能と判断した周波数帯のチャンネルの選局をスキップすることを特徴とする受信端末装置。
【請求項４】
請求項１に記載の放送受信装置において、
ユーザの操作入力を受け付ける操作入力手段と、
前記操作入力手段の操作キーに対応付けたチャンネルを予め規定したサービスリストを記憶する記憶手段とを有し、
前記制御手段は、前記操作入力手段の操作キーの操作に応じてチャンネル選局を行う際、前記サービスリストに規定されたチャンネルのなかから、前記アンテナ検出手段による検出結果に応じて、受信不可能と判断した周波数帯のチャンネルの選局を行わないことを特徴とする放送受信装置。
【発明の詳細な説明】
【技術分野】
【０００１】
本発明は、放送受信装置、より詳細には、携帯電話などの受信端末に適用可能で、ＵＨＦ、ＶＨＦ−Ｈ、ＶＨＦ−Ｌなどの複数の周波数帯のデジタル放送を受信可能な放送受信装置に関する。
【背景技術】
【０００２】
現在のアナログテレビジョン放送が停止され、アナログテレビジョン用の周波数帯（ＶＨＦ帯）に新たに割り当てられるマルチメディア放送が開始される２０１１年以降の受信端末には、現在搭載されているＩＳＤＢ−Ｔ（ワンセグ・ＵＨＦ帯）に加え、ＩＳＤＢ−Ｔｍｍ（ＶＨＦ−Ｈ帯）、ＩＳＤＢ−Ｔｓｂ（ＶＨＦ−Ｌ帯）のマルチメディア放送の受信機能が搭載されることが予想される。尚、ＶＨＦ−Ｌ帯は１ｃｈ〜３ｃｈに相当し、周波数は９０ＭＨｚ〜１０８ＭＨｚ、ＶＨＦ−Ｈ帯は４ｃｈ〜１２ｃｈに相当し、周波数は１７０ＭＨｚ〜２２２ＭＨｚ、ＵＨＦ帯は１３ｃｈ〜６２ｃｈに相当し、周波数は４７０ＭＨｚ〜７７０ＭＨｚである。
【０００３】
これらの放送方式は共通点が多く、ユーザが放送方式を意識しない選局手段を受信端末が備える可能性が大きいが、それぞれの周波数帯の違いにより、ある時点における受信感度が、それぞれの方式で大きく異なる可能性がある。
従って、チャンネル検索（例えば、左、右キーの長押し等の操作によって、ユーザが現在受信可能な放送局を検索する機能）に要する時間が、ワンセグのみ搭載する受信端末に比べて増大するケースが発生する。これはチャンネル数の増加と、端末の状態によっては安定した受信ができない周波数帯があることに起因する。
【０００４】
また、受信端末の上下キーに割り当てられることが多いＵＰ／ＤＯＷＮ選局においても、受信できない周波数帯への選局を行うために、受信可能なサービスを選局するまでに要する携帯端末の操作回数が増大することがある。
【０００５】
例えば、特許文献１に開示されたデジタル放送受信装置に係る技術では、チャンネルサーチを正確かつ高速に実現するために、直交復調およびＡＦＣ回路により出力される直交信号の入力信号レベルと、移動速度もしくは速度変化量に応じて決まる感度閾値とを比較し、入力信号レベルが感度閾値を超えないことを検出して次のチャンネルサーチを実行している。また、ＴＭＣＣフレーム同期信号、サービス情報データ、あるいは伝送モードを監視し、所定時間内にこれら情報が一つでも検出されない場合に次のチャンネルサーチを実行する。
【０００６】
さらに特許文献２に開示されたデジタル放送受信機のチャンネル検出に係る技術では、同期確立を行って所定の時間の計時を開始し、所定の時間の計時が完了する前に、受信中のチャンネルにおいて放送が行われているかの判定を行うことで、放送の有無の判定を短時間で行うことができるようにし、これにより与えられた全てのチャンネルを検索する時間も短縮できるようにすることを意図している。
【先行技術文献】
【特許文献】
【０００７】
【特許文献１】特開２００７−２８８４３５号公報
【特許文献２】特開２００８−１１８１９６号公報
【発明の概要】
【発明が解決しようとする課題】
【０００８】
ＶＨＦ−Ｌ帯、ＶＨＦ−Ｈ帯、及びＵＨＦ帯の放送方式のように、異なる周波数帯で放送される放送波は、放送波に合ったアンテナを使用した受信が必要となる。本発明では、受信可能性の低い周波数帯では受信を試みないことによってチャンネルサーチの高速化を図ることを鋭意検討したが、上記各特許文献には、このような技術思想は何ら開示していない。
【０００９】
本発明は、上述のごとき実情に鑑みてなされたものであり、安定して受信できる可能性の低い周波数帯のチャンネル検索を省略することで、チャンネル検索に要する時間を効果的に短縮することができるようにした放送受信装置を提供することを目的とする。
【課題を解決するための手段】
【００１０】
上記課題を解決するために、本発明の第１の技術手段は、複数の周波数帯のデジタル放送を受信する受信手段を備え、該複数の周波数帯のデジタル放送の受信周波数帯に応じて複数のアンテナを使用可能とした放送受信装置において、前記複数のアンテナの状態を検出するアンテナ検出手段と、該アンテナ検出手段による検出結果に応じて受信可能な周波数帯を判別し、選局対象とするチャンネルを前記受信可能な周波数帯のチャンネルに制限する制御手段とを有することを特徴としたものである。
【００１１】
第２技術手段は、第１の技術手段において、ユーザの操作入力を受け付ける操作入力手段を有し、前記制御手段は、前記操作入力手段に対する所定の操作に応じてチャンネル検索を行う際に、該アンテナ検出手段による検出結果に応じて受信可能な周波数帯を判別し、チャンネル検索の対象とする周波数帯を前記受信可能な周波数帯に制限することを特徴としたものである。
【００１２】
第３の技術手段は、第１の技術手段において、ユーザの操作入力を受け付ける操作入力手段と、チャンネルのＵＰまたはＤＯＷＮ選局を行うときの切替順序を予め規定したサービスリストを記憶する記憶手段とを有し、前記制御手段は、前記操作入力手段に対する所定の操作に応じてチャンネルのＵＰまたはＤＯＷＮ選局を行う際、前記サービスリストに規定された選局順序のチャンネルの中から、前記アンテナ検出手段による検出結果に応じて、受信不可能と判断した周波数帯のチャンネルの選局をスキップすることを特徴としたものである。
【００１３】
第４の技術手段は、第１の技術手段において、ユーザの操作入力を受け付ける操作入力手段と、前記操作入力手段の操作キーに対応付けたチャンネルを予め規定したサービスリストを記憶する記憶手段とを有し、前記制御手段は、前記操作入力手段の操作キーの操作に応じてチャンネル選局を行う際、前記サービスリストに規定されたチャンネルの中から、前記アンテナ検出手段による検出結果に応じて、受信不可能と判断した周波数帯のチャンネルの選局を行わないことを特徴としたものである。
【発明の効果】
【００１４】
本発明によれば、安定して受信できる可能性の低い周波数帯のチャンネル検索を省略することで、チャンネル検索に要する時間を効果的に短縮することができるようにした放送受信装置を提供することができる。
【図面の簡単な説明】
【００１５】
【図１】本発明に係る受信装置の第１の実施形態を説明するためのブロック図である。
【図２】本発明による受信装置における受信可能チャンネル検索処理の一例を説明するためのフローチャートである。
【図３】本発明による受信装置における受信可能チャンネル検索処理の一例を説明するための他のフローチャートである。
【図４】ＩＳＤＢ−Ｔチャンネル検索処理の詳細な処理例を説明するためのフローチャートである。
【図５】アンテナ状態判断処理の詳細な処理例を説明するためのフローチャートである。
【図６】ＩＳＤＢ−Ｔａｂチャンネル検索処理の詳細な処理例を説明するためのフローチャートである。
【図７】ＩＳＤＢ−Ｔａｂチャンネル検索処理の詳細な処理例を説明するための他のフローチャートである。
【図８】本発明による放送受信装置の第２の実施形態の選局処理を説明するためのフローチャートである。
【図９】選局に使用するサービスリストの一例を示す図である。
【図１０】図８のサービス提示処理をより詳細に説明するためのフローチャートである。
【発明を実施するための形態】
【００１６】
ＶＨＦ−Ｌ帯、ＶＨＦ−Ｈ帯、及びＵＨＦ帯は、その周波数の違いにより、放送波を受信するために放送受信装置に要求されるアンテナの長さも異なる。放送受信装置では、一般に１／４波長のアンテナが基本となるため、ＶＨＦ−Ｌ帯用には７０〜８０ｃｍ程度、ＶＨＦ−Ｈ帯用には３０〜４０ｃｍ程度、ＵＨＦ帯用には、１０ｃｍ程度の長さのアンテナが必要となる。
【００１７】
放送受信装置として携帯電話等の携帯端末を考えた場合、ＶＨＦ−Ｌ帯受信のためにはイヤホンアンテナ接続が不可欠になると予想され、ＶＨＦ−Ｈ帯受信のためには、イヤホンアンテナがない場合にはホイップアンテナを伸ばすことが必要となる。ＵＨＦ帯は、現在の携帯電話で実現されているように内蔵アンテナで受信可能である。
【００１８】
本発明では、このような各周波数帯で必要とされるアンテナの物理的な違いを利用し、放送受信装置のアンテナの状態により、受信対象とする周波数帯を限定することで、チャンネル検索に要する時間を短縮する。また、ＵＰ／ＤＯＷＮ選局時に受信可能性の低いサービスへの選局をスキップする。例えばイヤホンアンテナが挿入されていない場合は、ＶＨＦ−Ｌ帯をチャンネル検索範囲から除外する（検索しない）ことにより、全体の検索時間を短縮する。イヤホンアンテナを接続せずに、ホイップアンテナを伸ばした状態で、ＵＨＦ６２ｃｈから上方向に検索する場合、ワンセグで使用されるＵＨＦは６２チャンネルまでしかないため、通常、次に検索するチャンネルはＶＨＦの１チャンネルになるが、本発明では、ＶＨＦ−Ｌ帯の検索を除外し、ＶＨＦ−Ｈ帯の最小チャンネルから受信可能チャンネルを検索することで、受信可能性のあるＶＨＦ−Ｈ帯のチャンネルが検索されるまでの時間を短縮する。以下に本発明に係る実施形態を添付の図面を参照しながらより具体的に説明する。
【００１９】
図１は、本発明に係る受信装置の第１の実施形態を説明するためのブロック図で、本発明に係る放送受信装置を携帯電話に適用した例を示すものである。
放送受信装置１には、第１〜第２アンテナの３つのアンテナが設けられる。第１アンテナ１１は、放送波受信用のイヤホンアンテナである。イヤホンアンテナの構成例としては、イヤホンアンテナを放送受信装置１のコネクタに接続して使用する形態と、未使用時には放送受信装置１の筐体内にイヤホンアンテナを格納しておき、使用時に筐体からイヤホンアンテナを引き出して使用する形態とがある。
【００２０】
第１アンテナ検出部１４は、アンテナの状態を検出するもので、上記のコネクタにイヤホンアンテナを接続する構成の場合には、第１アンテナ検出部１４でイヤホンアンテナが接続されたことを検出する。また、上記の使用時に筐体からイヤホンアンテナを引き出して使用する構成の場合には、第１アンテナ検出部１４では、イヤホンアンテナが筐体内に格納されている状態か、引き出されて使用可能な状態かを検出する。第１アンテナ１１が使用可能な状態であるときには、ＶＨＦ−Ｌ帯、ＶＨＦ−Ｈ帯、及びＵＨＦ帯の全ての放送波が受信可能である。ＵＨＦ受信の場合は、アンテナ経路を切り換えて第３アンテナ１３を使用する場合もある。
【００２１】
第２アンテナ１２は、放送波受信用のホイップアンテナである。ホイップアンテナは、受信装置の筐体に格納された状態と、筐体から外部に伸ばされて使用される状態とをとることができる。第２アンテナ検出部１５は、ホイップアンテナが筐体から引き出され、使用可能状態であることを検出する。
第２アンテナ１２を放送受信装置１の筐体から引き出して使用するときには、ＩＳＤＢ−Ｔｍｍの放送周波数帯であるＶＨＦ−Ｈ帯は受信可能だが、ＩＳＤＢ−Ｔｓｂの放送周波数帯であるＶＨＦ−Ｌ帯の受信は困難となる。ＵＨＦ受信の場合は、アンテナ経路を切り換えて第３アンテナ１３を使用する場合もある。
【００２２】
第３アンテナ１３は、ＵＨＦ帯受信用のアンテナである。第３アンテナ１３は、放送受信装置１の筐体の内部アンテナとなるため、第１アンテナ１１及び第２アンテナ１２のように使用可能な状態であるか否かの判定は不要となる。
【００２３】
アンテナ切替部１６は、第１アンテナ検出部１４、及び第２アンテナ検出部１５の検出結果に従って、放送受信制御部２１が放送受信に使用するアンテナを第１アンテナ１１〜第３アンテナ１３から選択する。チューナー部１７は、ＩＳＤＢ−Ｔ、ＩＳＤＢ−Ｔｍｍ、ＩＳＤＢ−Ｔｓｂ方式の放送受信に対応したチューナーである。第１及び第２アンテナ検出部１４、１５は本発明のアンテナ検出手段に相当する。
【００２４】
マルチメディアデコーダ２３は、放送受信制御部２１の制御に従って、チューナー部１７から入力されたＴＳ（トランスポートストリーム）から映像・音声成分を分離し、デコードを行う。マルチメディアデコーダ２３では、ＩＳＤＢ−Ｔ、ＩＳＤＢ−Ｔｍｍ、及びＩＳＤＢ−Ｔｓｂのそれぞれの方式の映像符号化フォーマット、及び音声符号化フォーマットのデータをデコード可能である。また、マルチメディアデコーダ２３は、放送受信制御部２１から指示されたＰＩＤのパケットを放送受信制御部２１に出力する機能を有する。ＰＩＤは、ＴＳを構成する各パケットの識別子であって、ＴＳパケットヘッダに含まれ１３ビットでパケット種別を識別するものである。
【００２５】
放送受信制御部２１は、放送受信動作全般の制御を行うもので、本発明の制御手段に相当する。例えばアンテナ検出部１４，１５からの検出情報に応じてアンテナ切替部１６を制御し、使用するアンテナを選択する。
また、放送受信制御部２１は、所望のチャンネルの映像・音声等をユーザに提示するためにチューナー部１７、及びマルチメディアデコーダ２３を制御する。また、マルチメディアデコーダ２３に対し、解析対象のＰＳＩ／ＳＩのＰＩＤを指示し、マルチメディアデコーダが出力するパケットからセクションを構築、解析する。ＰＳＩ／ＳＩは、ＴＳに含まれる、選局等に使用されるＴＳの情報を持ったデータ列であり、ＰＳＩ（Program Specific Information＝番組特定情報）とＳＩ（Service Information＝サービス情報）がある。また、上記セクションは、ＴＳで伝送できる形式のひとつであって、番組情報等の管理情報を伝送するものである。セクションは、ひとつ以上のパケットから組み立てられる。
【００２６】
メモリ１８は、放送受信制御部２１が使用するメモリ（記憶手段）である。メモリ１８には、受信可能サービスのリストや放送波スキャンの結果が記憶される。
キー入力部２９は、ユーザによるキー操作を検出するもので、本発明の操作入力部に相当する。本発明に関わるチャンネル検索やＵＰ／ＤＯＷＮ選局のユーザ操作は、キー入力部２９から通信機能制御部２２と放送受信制御部２１に通知される。表示部２４は、放送受信装置１が受信した放送映像やデータ放送を表示し、またユーザに提供する情報を表示する液晶表示パネルなどの表示画面である。
【００２７】
第４アンテナ１９は、携帯電話の通信用のアンテナであって、無線部２０は、第４アンテナ１９を介した携帯電話の通信用の無線部である。通信機能制御部２２は、電話機能を含む携帯電話の通信機能を制御する。また、音声符号化部２７は、通話時にマイク２８から入力された音声を符号化する。音声複合部２５は、通話時の音声をスピーカ２６に出力する。スピーカ２６からは、通話時の音声や、受信した放送の音声が出力される。
【００２８】
図２及び図３は、本発明による受信装置における受信可能チャンネル検索処理の一例を説明するためのフローチャートである。
放送受信装置１は、ユーザの指示に従ってチャンネル検索処理を開始する。ここでは例えば、キー入力部２９に入力された情報が、チャンネル検索開始を指示する情報であった場合に、放送受信制御部２１がチャンネル検索処理を開始する。以下の処理は、主に放送受信制御部２１の制御処理によって実行される。
【００２９】
チャンネル検索処理が開始されると、まずそのチャンネル検索処理の開始時点で受信中の放送方式（ＩＳＤＢ−Ｔ、ＩＳＤＢ−Ｔｓｂ、ＩＳＤＢ−Ｔｍｍのいずれか）により、以降の処理を分岐する（ステップＳ１）。
ここで受信中の放送方式がＩＳＤＢ−Ｔ（ＵＨＦ帯）であった場合、放送受信制御部２１は、受信中のチャンネルがＵＨＦ帯の最高周波数のチャンネル（６２ｃｈ）であるかどうかを判別する（ステップＳ９）。そして最高周波数チャンネルであれば、ステップＳ３へ進み、受信中の放送方式がＩＳＤＢ−Ｔｓｂ（ＶＨＦ−Ｌ帯）であった場合の処理に移行する。
【００３０】
受信中のチャンネルが最高周波数のチャンネルでない場合には、放送受信制御部２１は、必要に応じてアンテナ切替部１６を制御してアンテナ切替を行い（ステップＳ１０）、ＩＳＤＢ−Ｔチャンネル検索処理を行う（ステップＳ１１）。この場合、ＵＨＦ受信中からのＵＨＦのチャンネル検索であり、アンテナ経路が第３アンテナになっているため、ステップＳ１０ではアンテナ切替は行われない。
【００３１】
ステップＳ１１のＩＳＤＢ−Ｔチャンネル検索処理の詳細な処理例を図４を参照しながら説明する。チャンネル検索処理は、あるチャンネル受信中の状態から起動されるため、この処理が開始される時点で、放送受信制御部２１は、チューナー部１７から出力されるＴＳ中に含まれるＮＩＴ及びＰＭＴを抽出し、解析可能な状態となっている。ＮＩＴ（Network Information Table）は、ＴＳに含まれるＰＳＩの一種で、ＴＳ名やＴＳに含まれるサービスの情報等が記載される。またＰＭＴ（Program Map Table）は、ＴＳに含まれるＰＳＩの一種で、番組を構成する各ＥＳのＰＩＤを指定する。
【００３２】
尚、ＮＩＴ、ＰＭＴの抽出処理は、本実施形態では放送受信制御部２１がマルチメディアデコーダ２３にフィルタリングするＰＩＤを指定し（ＮＩＴのＰＩＤは０ｘ００１０、ワンセグのプライマリサービスのＰＭＴのＰＩＤは０ｘ１ＦＣ８）、マルチメディアデコーダ２３から入力される各ＰＩＤのパケットからセクションを構築する処理となる。尚、上記のプライマリサービスは、ＴＳに複数のサービスが含まれるとき、当該ＴＳを受信時に最初にユーザに提示されるサービスである。
【００３３】
チャンネル検索処理開始時点で、ユーザがプライマリサービス以外のサービスを視聴していた場合、放送受信制御部２１は、フィルタリング対象のＰＭＴのＰＩＤを０ｘ１ＦＣ８に変更する（ステップＳ２１）。そして、現在受信中のチャンネルがＩＳＤＢ−Ｔのチャンネル（ＵＨＦ帯）であった場合（ステップＳ２２−ＹＥＳ）、放送受信制御部２１は、受信中のチャンネルに１加算したチャンネルの周波数を、受信周波数としてチューナー部１７に設定する（ステップＳ２３）。
【００３４】
一方、現在受信中のチャンネルがＩＳＤＢ−Ｔのチャンネル（ＵＨＦ帯）でない場合、つまりＩＳＤＢ−Ｔ以外の放送方式受信中の場合（ステップＳ２２−ＮＯ）、放送受信制御部２１は、ＩＳＤＢ−Ｔ方式の放送の最小チャンネル（１３ｃｈ）の周波数を受信周波数としてチューナー部１７に設定する（ステップＳ２７）。
【００３５】
放送受信制御部２１は、チューナー部１７に受信周波数を設定した後、一定時間（例：１００ｍｓ）毎に、チューナーから情報を取得し、当該周波数における物理波の有無、有効なＮＩＴの有無、有効なＰＭＴの有無を監視する（ステップＳ２４、Ｓ２５、Ｓ２６）。
【００３６】
物理波の有無の判断は、一般的に、受信機の同期、復調用の信号としてＯＦＤＭ信号に挿入されるＳＰ検出等により行われ、判断に要する時間は数十〜百数十ｍｓである。
また、有効なＮＩＴの有無の判断は、物理波確認後に、放送受信制御部がＮＩＴパケットを受信してＮＩＴセクションを構築し、解析を行い、ＮＩＴにワンセグサービスの記載があるか否かで判断する。物理波確認後に判断に要する時間は、放送局により異なるＮＩＴの再送周期によって決定するが、一般的には１秒以内である。
有効なＰＭＴの有無の判断は、ＮＩＴ確認後に、放送受信制御部２１がＰＭＴパケットを受信してＰＭＴセクションを構築し、解析を行い、ＰＭＴに有効なＥＳ（Elementary Steam：音声／映像／字幕等の符号化されたデータ）の記載があるか否かで判断する。ＮＩＴ確認後に判断に要する時間は、放送局により異なるＰＭＴの再送周期によって決定するが、一般的には２００ｍｓ以内である。
【００３７】
上記のステップＳ２４〜Ｓ２６のそれぞれの処理において、当該周波数で有効なＰＭＴが検出できない（物理波がない、ＮＩＴを受信できない、ＰＭＴを受信できない）場合には、最大ｃｈ（６２ｃｈ）の受信中か否かを判別し（ステップＳ２８）、最大ｃｈの受信中でなければステップＳ２３に戻る。つまり、最高周波数のチャンネルまで上記の処理を繰り返す。
【００３８】
放送受信制御部２１は、上記処理中に有効なＰＭＴを検出した場合（ステップＳ２６−ＹＥＳ）、または、最高周波数のチャンネルで有効なＰＭＴが検出できなかった場合（ステップＳ２８−ＹＥＳ）に、ＩＳＤＢ−Ｔチャンネル検索処理を終了する。
尚、ワンセグのプライマリサービスのＰＭＴのＰＩＤは０ｘ１ＦＣ８で固定のため、上記処理においてＮＩＴの検出は省略可能である。
【００３９】
図２、図３のフローチャートに戻って説明する。ステップＳ１１のＩＳＤＢ−Ｔチャンネル検索処理において上記図４に示すような検索処理を行った結果、有効なＰＭＴを検出してチャンネル検索処理が終了した場合に、つまり受信可能なサービスを検出した場合には（ステップＳ１２−ＹＥＳ）、映像・音声等の提示を行い（ステップＳ８）、チャンネル検索が終了する。
【００４０】
ステップＳ８では、放送受信制御部２１が、マルチメディアデコーダ２３に映像ＥＳのＰＩＤ、音声ＥＳのＰＩＤ、ＰＣＲ（Program Clock Reference）のＰＩＤを指定することにより、マルチメディアデコーダ２３が、指定されたＰＩＤのパケットから映像・音声をデコードし、デコードした映像・音声をそれぞれ表示部２４とスピーカ２６へ出力する。ＰＣＲは、番組基準クロックであって、受信機で、映像・音声・字幕などの提示時刻情報を持つＥＳの提示タイミングの基準となる。
尚、サービスによっては、音声のみ、もしくは映像のみの場合もあるが、この場合マルチメディアデコーダ２３は、存在するＥＳのみをデコードして出力することになる。
【００４１】
ステップＳ１１のＩＳＤＢ−Ｔチャンネル検索処理において、最高周波数のチャンネルまで有効なＰＭＴを検出できなかった場合は、ステップＳ３に進み、受信中の放送方式がＩＳＤＢ−Ｔｓｂ（ＶＨＦ−Ｌ帯）であった場合の処理に移行する。
【００４２】
次に、上記ステップＳ１で、受信中の放送方式がＩＳＤＢ−Ｔｓｂ（ＶＨＦ−Ｌ帯）であった場合、放送受信制御部２１は、受信中の周波数が最高周波数のチャンネル（ＶＨＦ３ｃｈ）の最高周波数のセグメントであるかどうかを判別する（ステップＳ２）。セグメントは、ＯＦＤＭセグメントを指し、データキャリアに制御信号を付加した伝送信号の基本帯域、およびフレーム構成された信号である。ＩＳＤＢ−Ｔ方式（地上デジタルテレビ）の場合は、１つのチャンネルは１３セグメントから成り、ワンセグはそのうちひとつのセグメントを使用してサービスを伝送する。ＩＳＤＢ−Ｔｓｂ、ＩＳＤＢ−Ｔｍｍ方式では１つのサービスが複数のセグメントを使用する場合がある。
ここで最高周波数のセグメントを受信中である場合には、ステップＳ１４に進み、受信中の放送方式がＩＳＤＢ−Ｔｍｍ（ＶＨＦ−Ｈ帯）であった場合の処理に移行する。一方、受信中のチャンネルが最高周波数のチャンネルの最高周波数のセグメントでない場合は、アンテナ状態判断処理を行う（ステップＳ３）。
【００４３】
上記で「最高周波数のセグメント」としているが、放送受信制御部２１がチューナー部１７から取得するＴＭＣＣ情報、ＰＳＩデータ解析によって得られる情報等から、現在受信中のサービスが使用するセグメント数を判断することができる。ここで現在受信中のサービスのセグメント数が複数で、それより上の周波数のセグメントがＩＳＤＢ−Ｔｓｂ放送方式の帯域外となる場合は、現在受信中のセグメントが最高周波数より小さい周波数のセグメントであっても、上記の「最高周波数のセグメント」とみなして処理を行う。
【００４４】
上記ステップＳ３のアンテナ状態判断処理の詳細な処理例を図５を参照しながら説明する。放送受信制御部２１は、第１アンテナ（イヤホンアンテナ）１１が使用可能であるか否かの状態情報を第１アンテナ検出部１４より取得し（ステップＳ３１）、第１アンテナ１１が使用可能であれば（ステップＳ３２−ＹＥＳ）、受信可能周波数帯をＶＨＦ−Ｌ、ＶＨＦ−Ｈ、ＵＨＦとして、アンテナ判断処理を終了する。また、第１アンテナ１１が使用不可であれば（ステップＳ３２−ＮＯ）、放送受信制御部２１は、第２アンテナ（ホイップアンテナ）１２が使用可能状態であるか否かの情報を第２アンテナ検出部１５より取得し（ステップＳ３３）、第２アンテナ１２として用いられるホイップアンテナが伸張されていて使用可能状態であれば（ステップＳ３４−ＹＥＳ）、受信可能周波数帯をＶＨＦ−Ｈ、ＵＨＦとして（ステップＳ３７）、アンテナ判断処理を終了する。
【００４５】
ステップＳ３４で、ホイップアンテナが使用不可の状態であれば、イヤホンアンテナもホイップアンテナも使用不可であるため、受信可能周波数帯をＵＨＦとして（ステップＳ３５）、アンテナ判断処理を終了する。
【００４６】
図２，図３のフローチャートに戻って説明する。ステップＳ３のアンテナ状態判断処理により、受信可能周波数帯に応じて処理を変更する（ステップＳ４）。ここで受信可能周波数帯がＵＨＦのみと判断された場合、放送受信制御部２１は、アンテナ切替部１６を制御してアンテナ経路を第３アンテナ（内蔵アンテナ）１３に切り替え（ステップＳ１０）、ＩＳＤＢ−Ｔチャンネル検索処理に移行する（ステップＳ１１）。この場合ＩＳＤＢ−Ｔｓｂのチャンネル検索、ＩＳＤＢ−Ｔｍｍのチャンネル検索が省略される。
【００４７】
ステップＳ４で受信可能周波数帯がＶＨＦ−Ｈと判断された場合、放送受信制御部２１は、アンテナ切替部１６を制御してアンテナ経路を第２アンテナ（ホイップアンテナ）１２に切り替え（ステップＳ１６）、ＩＳＤＢ−Ｔｍｍチャンネル検索処理に移行する（ステップＳ１７）。この場合ＩＳＤＢ−Ｔｓｂのチャンネル検索が省略される。
さらに、ステップＳ４で、ＶＨＦ−Ｌが受信可能と判断された場合、放送受信制御部２１は、アンテナ切替部１６を制御してアンテナ経路を第１アンテナ（イヤホンアンテナ）１１に切り替え（ステップＳ５）、下記に示すＩＳＤＢ−Ｔｓｂチャンネル検索処理を行う。
【００４８】
上記ステップＳ６のＩＳＤＢ−Ｔａｂチャンネル検索処理の詳細な処理例を図６及び図７を参照しながら説明する。チャンネル検索処理は、あるチャンネル受信中の状態から起動されるため、この処理が開始される時点で、放送受信制御部２１は、チューナー部１７から出力されるＴＳ中に含まれるＮＩＴを抽出、解析可能な状態となっている。
ここで放送受信制御部２１は、ＰＡＴのＰＩＤフィルタが開始されていない場合（受信中のチャンネルがＩＳＤＢ−Ｔであった場合）には、そのＰＩＤフィルタを開始する（ステップＳ４１）。尚、ＰＡＴ（Program Association Table）は、ＴＳに含まれるＰＳＩ（番組特定情報）の一種で、サービスＩＤに対応するＰＭＴのＰＩＤが記載されるものである。
【００４９】
現在受信中のチャンネルがＩＳＤＢ−Ｔｓｂのチャンネル（ＶＨＦ−Ｌ帯）であった場合（ステップＳ４２−ＹＥＳ）、放送受信制御部２１は、受信周波数をチューナー部１７に設定する（ステップＳ４３）。設定する受信周波数は、現在受信中のサービスが１セグメントを使用したサービスの場合には、現在受信中のセグメントのひとつ上のセグメントの周波数とする。また、現在受信中のサービスのセグメント数が３セグメントの場合は、現在受信中のサービスが使用する３つのセグメントのひとつ上のセグメントの周波数とする。
【００５０】
また、現在受信中のチャンネルがＩＳＤＢ−Ｔｓｂのチャンネル（ＶＨＦ−Ｌ帯）でない場合、つまりＩＳＤＢ−Ｔｓｂ以外の放送方式で受信中の場合（ステップＳ４２−ＮＯ）、放送受信制御部２１は、ＩＳＤＢ−Ｔｓｂ方式の放送の最小チャンネル（１ｃｈ）の最低周波数のセグメントの周波数を受信周波数としてチューナー部１７に設定する（ステップＳ５１）。
【００５１】
チューナー部１７に受信周波数を設定した後、放送受信制御部２１は、一定時間（例：１００ｍｓ）毎に、チューナー部１７から情報を取得し、当該周波数における物理波の有無、有効なＮＩＴの有無、有効なＰＡＴの有無、有効なＰＭＴの有無を監視する。物理波及びＮＩＴの有無の判断は、ＩＳＤＢ−Ｔチャンネル検索処理の場合と同様である（ステップＳ４４〜Ｓ４５）。ステップＳ４５でＮＩＴが検出された場合、放送受信制御部がＮＩＴのサービス記述子記載の情報等より、当該ＴＳに含まれるサービスがダウンロードサービスのみか否かを判断する（ステップＳ４６）。
【００５２】
ダウンロードサービスのみの場合は、当該セグメントにおいて映像・音声をユーザに提示することができないため、ステップＳ５２に進み、次のセグメントの処理を行う。
また、放送受信制御部がＮＩＴ解析により、映像または音声またはデータ放送が含まれるサービスと判断した場合は（ステップＳ４６−ＮＯ）、ＰＡＴの受信を試み（ステップＳ４７）、ＰＡＴが受信できた場合は、ＰＡＴの記載内容から受信対象サービスのＰＭＴのＰＩＤを取得し（ステップＳ４８）、マルチメディアデコーダ２３にそのＰＩＤを設定してＰＩＤフィルタフィルタを開始する（ステップＳ４９）。
【００５３】
有効なＰＭＴの有無の判断は、上記ＩＳＤＢ−Ｔチャンネル検索処理の場合と同様である（ステップＳ５０）。
ＮＩＴ確認後に要する時間は、ＰＡＴ受信までの時間＋ＰＡＴを解析しＰＭＴのＰＩＤフィルタを開始するまでの時間＋ＰＭＴ受信までに要する時間となり、一般的には数１００ｍｓである。
【００５４】
上記の処理において当該周波数で有効なＰＭＴが検出できない場合、つまり物理波がない場合（ステップＳ４４―ＮＯ）、ＮＩＴを受信できない場合（ステップＳ４５―ＮＯ）、ＮＩを受信できたが当該セグメント放送がダウンロードサービスのみの場合（ステップＳ４６−ＹＥＳ）、ＰＡＴを受信できない場合（ステップＳ４７−ＮＯ）、及びＰＭＴを受信できない場合（ステップＳ５０−ＮＯ）は、最高周波数のセグメントまで、上記の処理を繰り返す。ここでは、ＰＭＴのＰＩＤフィルタを開始していた場合には、次の周波数のセグメントを受信する前にＰＩＤフィルタを停止する（ステップＳ５２）そして、ＩＳＤＢ−Ｔｓｂの最大ｃｈの最高周波数のセグメントを受信中でなく（ステップＳ５３−ＮＯ）、当該ｃｈの最高周波数セグメントを受信中でない場合には（ステップＳ５４−ＮＯ）、ステップＳ４３に戻って受信周波数を受信中のセグメント＋１とする。
【００５５】
また、ステップＳ５４で最高周波数のセグメントを受信中の場合には、受信周波数を受信中のｃｈ＋１のチャンネルの最低周波数のセグメントの周波数とし（ステップＳ５５）、ステップＳ４４に戻って当該周波数における物理波の有無、有効なＮＩＴの有無、有効なＰＡＴの有無、有効なＰＭＴの有無を監視する。
放送受信制御部２１は、上記処理中に有効なＰＭＴを検出した場合（ステップＳ５０−ＹＥＳ）、または、最高周波数のセグメントで有効なＰＭＴが検出できなかった場合（ステップＳ５３−ＮＯ）に、ＩＳＤＢ−Ｔｓｂチャンネル検索処理を終了する。
【００５６】
図２，図３のフローチャートに戻って説明する。ステップＳ６で上記のようなＩＳＤＢ−Ｔｓｂチャンネル検索処理を行った後、そのチャンネル検索処理の終了時の状態に応じて、以降の処理は次のように分岐する。
ＩＳＤＢ―Ｔｓｂチャンネル検索処理において、有効なＰＭＴを検出して受信可能なサービスがあった場合には（ステップＳ７−ＹＥＳ）、映像・音声等の提示を行い（ステップＳ８）、チャンネル検索を終了する。ステップＳ８の処理は前述したとおりである。
【００５７】
また、ステップＳ６で最高周波数のセグメントまで有効なＰＭＴを検出できなかった場合は、ステップＳ１４に進み、受信中の放送方式がＩＳＤＢ−Ｔｍｍ（ＶＨＦ−Ｈ帯）であった場合の処理に移行する。
【００５８】
次に、上記ステップＳ１で、受信中の放送方式がＩＳＤＢ−Ｔｍｍ（ＶＨＦ−Ｈ帯）であった場合、放送受信制御部２１は、受信中の周波数が最高周波数のチャンネルの最高周波数のセグメントか否かを判別し（ステップＳ１３）、最高周波数のチャンネルの最高周波数のセグメントである場合には、ステップＳ１０に進み、受信中の放送方式がＩＳＤＢ−Ｔ（ＵＨＦ帯）であった場合の処理に移行する。
【００５９】
一方、受信中のチャンネルが最高周波数のチャンネルの最高周波数のセグメントでない場合は、アンテナ状態判断処理を行う（ステップＳ１４）。アンテナ状態判断処理は、ステップＳ３で説明した図５に示す処理と同様の処理である。
また、上記では「最高周波数のセグメント」を判別すこととしているが、放送受信制御部１２がチューナー部１７から取得するＴＭＣＣ情報、およびＰＳＩデータ解析によって得られる情報等から、現在受信中のサービスが使用するセグメント数が判断できる。そして現在受信中のサービスのセグメント数が複数で、それより上の周波数のセグメントがＩＳＤＢ−Ｔｍｍ放送方式の帯域外となる場合は、現在受信中のセグメントが最高周波数より小さい周波数のセグメントであっても、上記の「最高周波数のセグメント」とみなして処理を行う。
【００６０】
ステップＳ１５では、ステップＳ１４のアンテナ状態判断処理の結果に応じてその後の処理を分岐する。ここでアンテナ状態判断処理により、受信可能周波数帯がＵＨＦのみと判断された場合、ステップＳ１０に進む。ステップＳ１０では、放送受信制御部２１はアンテナ切替部１６を制御してアンテナ経路を第３アンテナ（内蔵アンテナ）に切り替え、ＩＳＤＢ−Ｔチャンネル検索処理に移行する。この場合、ＩＳＤＢ−Ｔｍｍのチャンネル検索が省略される。
【００６１】
また、アンテナ状態判断処理により、受信可能周波数帯がＶＨＦ−Ｈと判断された場合、放送受信制御部２１は、アンテナ切替部１６を制御してアンテナ経路を第２アンテナ（ホイップアンテナ）１１に切り替え（ステップＳ１６）、ＩＳＤＢ−Ｔｍｍチャンネル検索処理に移行する（ステップＳ１７）。
【００６２】
ステップＳ１７のＩＳＤＢ−Ｔｍｍチャンネル検索処理は、図５で説明したＩＳＤＢ−Ｔｓｂのチャンネル検索処理と基本的に同様の処理となる。ＩＳＤＢ−Ｔｓｂ検索処理では、サービスが使用するセグメントが３つの場合の可能性があるが、ＩＳＤＢ−Ｔｍｍでは１つのサービスが使用する複数セグメント数が３以外の可能性もある。従って、放送受信制御部２１がチューナー部１７に設定する受信対象のセグメントの周波数（現在受信中のセグメントのひとつ上のセグメントの周波数）は、現在受信中のサービスのセグメント数がｎセグメントの場合は、現在受信中のサービスが使用するｎ個のセグメントの１つ上のセグメントの周波数となる。
【００６３】
ステップＳ１７のＩＳＤＢ−Ｔｍｍチャンネル検索処理終了時の状態により、以降の処理は次のように分岐する。ＩＳＤＢ−Ｔｍｍチャンネル検索処理により有効なＰＭＴを検出して受信可能なサービスがある場合には、映像・音声等の提示を行い（ステップＳ８）、チャンネル検索が終了する。ステップＳ８の処理は前述したとおりである。
【００６４】
また、ＩＳＤＢ−Ｔｍｍチャンネル検索処理により、最高周波数のセグメントまで有効なＰＭＴを検出できなかった場合は、ステップＳ１０に進んで受信中の放送方式がＩＳＤＢ−Ｔ（ＵＨＦ帯）であった場合の処理に移行する。
【００６５】
上記の動作例では、＋方向（受信周波数が高い方向）へのチャンネル検索処理を説明しているが、−方向（受信周波数が低い方向）へのチャンネル検索処理も同様の動作となる。この場合、受信周波数帯はＵＨＦ→ＩＳＤＢ−Ｔｍｍ→ＩＳＤＢ−Ｔｓｂ→ＵＨＦ・・・の順に検索し、各周波数帯における受信チャンネル、受信セグメントも周波数の高いチャンネル、セグメントから低いほうへ検索処理を行う。
【００６６】
また、上記の動作例では、チューナー部１７に設定する周波数は、単純に増加方向、減少方向で設定するものとしているが、同一放送方式内において、全チャンネルあるいは全セグメントを受信できれば、検索時のチャンネルやセグメントの順番は、単純増加・単純減少である必要はない。例えばユーザの受信位置（地域）により、放送波が存在する可能性のあるチャンネルやセグメントが予想できる場合は、受信可能性の高いチャンネル・セグメントから先に検索することもできる。
【００６７】
また、上記の処理を放送波スキャン時間の短縮のために適用することができる。ユーザが受信地域における受信可能放送局のリストを得るために、放送波のスキャンを行う場合がある。このような放送波スキャンの処理は、チャンネル検索とほぼ同じ処理で実現できる。放送波スキャンでは、チャンネル検索処理で行っているＰＭＴの取得と映像・音声の提示は行わず、ＩＳＤＢ−Ｔの全チャンネル、ＩＳＤＢ−Ｔｓｂ、ＩＳＤＢ−Ｔｍｍの全セグメントにおいてＮＩＴの取得を試み、有効なＮＩＴが検出できたチャンネル、セグメントをメモリに登録する。この場合も、端末のアンテナの状態により、受信対象の放送方式を制限することで、全体のスキャン時間を短縮できる。
【００６８】
なお、上記の実施形態において、端末のアンテナ状態を判断する方法としては、アンテナ経路を各アンテナに切り換えて、チューナー部１７から得たＣＮやＢＥＲの情報により各アンテナの状態を判断する方法や、放送受信制御部２１が判断できるアンテナ状態検出のための機構を端末に設ける方法がある。後者のアンテナ状態検出のための機構を設ける方法の場合、イヤホンアンテナが挿入されるコネクタに、放送受信制御部２１がイヤホンアンテナの挿入を検知できる端子を設ける方法がある。また、ホイップアンテナの状態検出方法については、例えば特開２００１−３３９４７４号公報に開示されている。
【００６９】
次に、本発明に係るマルチメディア放送受信機の第２の実施形態を説明する。第２の実施形態では、端末のアンテナ状態により受信対象の周波数帯を制限することで、ＵＰ／ＤＯＷＮ選局時に受信可能性の低いチャンネルへの選局をスキップし、少ない端末操作で受信可能なサービスへの選局を行う。
本実施形態のマルチメディア放送受信装置も図１に示すブッロク図の構成を有する。図１の構成は、上記のように本発明に係るメディア放送受信装置を携帯電話に適用した構成例を示すものである。
【００７０】
図８は、本発明による放送受信装置の第２の実施形態の選局処理を説明するためのフローチャートである。本実施形態の処理により、ＵＰ／ＤＯＷＮ選局時に受信可能なサービス提示までの端末操作回数を低減する。ここでは、ユーザによるキー入力部２９への指示に従って、放送受信制御部２１がＵＰ／ＤＯＷＮ選局処理を開始する。
【００７１】
放送受信制御部２１は、ＵＰ／ＤＯＷＮ選局処理を開始すると、映像・音声出力中であれば現在提示中の映像・音声の出力を停止する（ステップＳ６１）。また、現在受信中のサービスのＰＭＴのＰＩＤフィルタを停止する（ステップＳ６２）。
次に放送受信制御部２１は、メモリ１８に記憶されたサービスリストを参照し、次に選局対象候補とすべきサービスの情報を取得する（ステップＳ６３）。
【００７２】
ここで、サービスリストとは図９に例を示すように、ユーザが受信を行う地域で受信可能な、各放送方式の放送局名、サービス名、サービスＩＤ、リモコンキー番号、当該サービスが放送される物理チャンネルおよびセグメント番号、当該サービスが占有するセグメント数等が記載されるリストである。上記のサービスＩＤは、各サービスを識別するために割り当てられた１６ビットの識別子である。また、リモコンキー番号は、ＮＩＴに記載されるワンタッチキー選局のための番号である。ここでは、チャンネル選局を行うときの切替順序が予め規定される。サービスリストは受信端末内に予め用意される場合と、放送波スキャンにより作成される場合とがある。
【００７３】
ＵＰ／ＤＯＷＮ選局時には、放送受信制御部２１がサービスリストの物理チャンネルとセグメント番号から、次に選局対象とするサービスを決定する。例えばサービスＬ１を視聴中にＵＰ選局指示があったとき、次の選局対象候補はサービスＡ１、サービスＡ１を視聴中にＵＰ選局指示があったとき、次の選局対象候補はサービスＡ２となる。尚、この例では、ＵＰ／ＤＯＷＮ選局は、同じチャンネル内においてはセグメント番号順としているが、セグメント番号の順番が受信周波数の大小の関係と一致しない場合もある。このような場合、ＵＰ／ＤＯＷＮ選局時に受信周波数の大小により、次の選局候補を選択してもよい。
【００７４】
図８のフローチャートに戻って説明する。放送受信制御部２１は、ステップＳ６３でサービスリストから次の選局対象候補の情報取得後、アンテナ状態判断処理を実行する（ステップＳ６４）。このアンテナ状態判断処理では、上記第１の実施形態の図４に示す処理を同様の処理を行う。そして、アンテナ状態判断処理により、上記の選局対象候補のサービスの受信可能性を判断する（ステップＳ６５）。ここでアンテナ状態により受信困難と判断された場合、放送受信制御部は再度サービスリストを参照し（ステップＳ６３）、受信可能性のあるサービスを次の受信対象とする。例えば図７のサービスリストのサービスＬ１を視聴中にＵＰ選局があり、アンテナ状態判断処理により、ＩＳＤＢ−Ｔｓｂ方式は受信困難と判断された場合は、ＩＳＤＢ−ＴｍｍのサービスＥ１を受信対象とし、アンテナ切替処理に進む。
【００７５】
図８において、アンテナ状態判断処理により、次の選局対象候補が受信可能と判断された場合は、アンテナ切替処理に進む（ステップＳ６６）。アンテナ切り替え処理は、放送受信制御部２１が、現在使用しているアンテナが受信対象サービスの放送波帯に最適なアンテナでない場合に、最適なアンテナに切り換える処理である。
次に放送受信制御部２１は、チューナー部１７に対し、受信周波数、受信帯域（受信セグメント幅）の設定を行う（ステップＳ６７）。放送受信制御部２１はチューナーの設定を行った後、サービス提示処理を行う（ステップＳ６８）。これによりＵＰ／ＤＯＷＮ選局処理が終了する。
【００７６】
図１０は、上記図８のサービス提示処理をより詳細に説明するためのフローチャートである。サービス提示処理においては、放送受信制御部２１は、対象サービスのＰＭＴのＰＩＤが固定の場合（ワンセグの場合）（ステップＳ７１―ＹＥＳ）、ＰＭＴのＰＩＤフィルタを開始する（ステップＳ７２）。対象サービスのＰＭＴのＰＩＤが固定ではない場合（ステップＳ７１―ＮＯ）、ＰＡＴのＰＩＤフィルタを開始し、ＰＡＴ受信後、対象サービスのＰＭＴのＰＩＤ値を取得し（ステップＳ７３〜Ｓ７４）、ＰＩＤフィルタを開始する（ステップＳ７５）。そして一定時間内にＰＭＴを検出できたか否かを判別し、ＰＭＴを検出できた場合には、映像・音声の提示を行う（ステップＳ７７）。
【００７７】
ステップＳ７３で一定時間以内にＰＡＴが受信できない場合、およびステップＳ７６で一定時間内にＰＭＴが受信できない場合は、受信不可を示すメッセージを表示して（ステップＳ７８）、サービス提示処理を終了する。
尚、ステップＳ７８の受信不可メッセージ表示後もユーザ操作がない場合、放送受信制御部２１は、ＰＡＴ、ＰＭＴの監視は続け、ＰＭＴ受信ができた場合は映像・音声の提示を行う。
【００７８】
ステップＳ７７の映像・音声の提示は、放送受信制御部２１が、マルチメディアデコーダ２３に映像ＥＳのＰＩＤ、音声ＥＳのＰＩＤ、ＰＣＲのＰＩＤを指定することにより、マルチメディアデコーダ２３が、指定されたＰＩＤのパケットから映像・音声をデコードし、デコードした映像・音声をそれぞれ表示部２４とスピーカ２６へ出力する。尚、サービスによっては、音声のみ、もしくは映像のみの場合もあるが、この場合マルチメディアデコーダ２３は、存在するＥＳのみをデコードして出力することになる。
【００７９】
上記のように、受信中のチャンネル周波数の直近の受信可能周波数の放送局を選局するＵＰ／ＤＯＷＮ選局時に、サービスリストに登録されているサービスのうち、安定して受信できる可能性の低い周波数帯の放送局のサービスをスキップして選局を行うことにより、受信可能なサービスを視聴するまでの端末の操作回数が少なくて済むようになる。
【００８０】
上記の処理は、数字キー選局時の選局対象放送方式の制限に用いることもできる。
数字キー押下によるワンタッチ選局を行う場合も、アンテナ状態を判断し、視聴可能性の高いサービスを優先的に選局することで、選局後に受信不可となる頻度を低減し、ユーザに迅速な放送サービスの提示を行うことができる。特に視聴したい番組がなく、ザッピングを行って視聴する番組を探す状況にあるユーザにとって有用である。これは例えば以下のような動作となる。
【００８１】
図９のサービスリストを持つ放送受信装置で放送受信中に、例えばユーザが「２」キーを押下したときに、アンテナ検出部１４，１５の検出結果に従って放送受信制御部２１がＶＨＦ−Ｌ帯の受信不可と判断した場合、サービスＪ１を選局対象とする。このとき、再度の「２」キーの押下によりサービスＦ１を選局してもよい。また、サービスＦ１を選局するかサービスＪ１を選局するかは、ユーザの操作で優先順位を付与できるようにしてもよいし、常に固定としてもよい。
【００８２】
また、第２の実施形態では、選局時にアンテナ状態により、選局対象放送方式を制限する例を示したが、この処理では放送受信装置の受信機能起動時にも適用することができる。通常の放送受信装置では、放送受信機能起動時に最初に選択される放送は前回終了時に視聴していたサービスだが、本発明が適用された放送受信装置では、放送受信機能起動時にも、アンテナ状態を判断し、受信困難と判断される放送方式を選局せずに、受信可能性の高い放送方式を選局する。例えば図９のサービスリストを持つ受信端末がサービスＢ１を最後に視聴して放送受信機能を終了し、次回放送受信機能起動時に、ＩＳＤＢ−Ｔｓｂ、ＩＳＤＢ−Ｔｍｍの受信不可状態で起動した場合、サービスＪ１を起動時に最初に選局対象とする。
【００８３】
また、上記実施例１、２では放送方式により使用可能なアンテナ形状が異なる例として、ＩＳＤＢ−Ｔ（ワンセグ）、ＩＳＤＢ−Ｔｓｂ、ＩＳＤＢ−Ｔｍｍを挙げているが、これらの放送方式以外の放送方式に適用することも可能である。また、放送方式は２つ以上であれば本発明は適用可能である。
また、上記実施例では、異なる放送方式受信のために最適なアンテナを１つに限定しているが、例えば端末が折り畳まれたり、表示部が回転あるいはスライドして形状が変化することにより、変化した形状に対応して最適なアンテナが変わる場合、放送受信制御部２１がアンテナ状態の判断を行う際に、端末の形状に応じた判断を行うようにしてもよい。
【符号の説明】
【００８４】
１…放送受信装置、１１…第１アンテナ、１２…第２アンテナ、１３…第３アンテナ、１４…第１アンテナ検出部、１５…第２アンテナ検出部、１６…アンテナ切替部、１７…チューナー部、１８…メモリ、１９…第４アンテナ、２０…無線部、２１…放送受信制御部、２２…通信機能制御部、２３…マルチメディアデコーダ、２４…表示部、２５…音声複合部、２６…スピーカ、２７…音声符号化部、２８…マイク、２９…キー入力部。
【図１】
2011176652.tif 000003
【図２】
2011176652.tif 000004
【図３】
2011176652.tif 000005
【図４】
2011176652.tif 000006
【図５】
2011176652.tif 000007
【図６】
2011176652.tif 000008
【図７】
2011176652.tif 000009
【図８】
2011176652.tif 000010
【図９】
2011176652.tif 000011
【図１０】
2011176652.tif 000012